(57)【要約】      （修正有）【課題】ＰＣやカーナビなどに内蔵するＨＤＤデータのコピー＆コンペア作業を効率化し、時間短縮やコストダウンを図る。【解決手段】ＬＡＮのデータ転送速度の遅さを，システムにおけるロスタイムとしない目的で配置するサブシステムＨＤＤ（Ｓ１，Ｓ２）にサブシステムデータをＬＡＮ経由でストアし，得られたサブシステムデータをデータ内容に応じてグループ分けを行い，所定のグループデータを該当するグループＨＤＤ（Ｇ１１〜Ｇ２２）にストアし，グループＨＤＤとグループを形成するターゲットＨＤＤ（Ｔ１１１〜Ｔ２２２）にコピー＆コンペアする構成をとり，サーバー休止時にサーバー１のシステムデータを更新し，サーバーならびにサブシステムＨＤＤの休止時にサブシステムＨＤＤのサブシステムデータをサーバーからＬＡＮ経由で転送し更新する。【選択図】図１
2010086506.tif 000002
【特許請求の範囲】
【請求項１】
パソコン，カーナビなどに情報，映像，音響データを搭載，接続するターゲットＨＤＤに，所定のデータをコピー・コンペアするシステムを，サーバー，サブシステムＨＤＤ，グループＨＤＤで形成し，システムが扱うシステムデータはサーバーで一元管理し，システムデータに包含される個々のサブシステムが扱うサブシステムデータは，ＬＡＮのデータ転送速度の遅さを，システムにおけるロスタイムとしない目的で配置するサブシステムＨＤＤにＬＡＮ経由でストアし，得られたサブシステムデータをデータ内容に応じてグループ分けを行いない，該当するグループＨＤＤに所定のグループデータをストアし，グループＨＤＤとグループを形成するターゲットＨＤＤにコピー・コンペアする構成をとり，サーバーの休止時にサーバーのシステムデータを更新し，サーバーならびにサブシステムＨＤＤの休止時にサブシステムデータをＬＡＮ経由でサーバーからサブシステムＨＤＤに転送更新することにより，ＬＡＮのデータ転送速度はそれ程の高速を必要とせず，作業中のターゲットＨＤＤへのコピー・コンペア作業が終了すると，直ちにグループＨＤＤはサブシステムＨＤＤから次のコピー・コンペア作業のグループデータを入手することができるため，低コストで，システムのロスタイムが大幅に短縮されるデュプリケートシステム。
【請求項２】
グループを複数のグループＨＤＤとターゲットＨＤＤで形成し，ターゲットＨＤＤがコピー・コンペア作業中であっても，休止しているグループＨＤＤのデータをサブシステムＨＤＤの最新データに更新することにより，サーバー〜サブシステムＨＤＤ〜グループＨＤＤにおけるデータの更新のロスタイムが無く，ターゲットＨＤＤのコピー・コンペア作業が終了すると，直ちにデータ更新されたグループＨＤＤによりターゲットＨＤＤのコピー・コンペアが可能な請求項１に記載するデュプリケートシステム。
【請求項３】
専用のグループＨＤＤを備えず，特定のターゲットＨＤＤをテンポラリー・グループＨＤＤとしてグループＨＤＤの役割を担わせるとともに，ターゲットＨＤＤへのコピー・コンペア作業が完了した時点では，テンポラリー・グループＨＤＤをターゲットＨＤＤとして出荷することが出来る，請求項１，請求項２に記載するデュプリケートシステム。
【請求項４】
サーバー，サブシステムＨＤＤ，グループＨＤ，ターゲットＨＤＤに関して，動作中表示，休止中表示，休止中のみデータの転送，更新を可能とする手段などの何れか，または全てを備える請求項１，請求項２，請求項３に記載するデュプリケートシステム。
【発明の詳細な説明】
【技術分野】
【０００１】パソコン，カーナビなどに情報，映像，音響データを搭載，接続するターゲットＨＤＤに，所定のデータをコピー・コンペアするシステムを，サーバー，サブシステムＨＤＤ，グループＨＤＤで形成し，システムが扱うシステムデータはサーバーで一元管理し，システムデータに包含される個々のサブシステムが扱うサブシステムデータは，ＬＡＮのデータ転送速度の遅さを，システムにおけるロスタイムとしない目的で配置するサブシステムＨＤＤにＬＡＮ経由でストアし，得られたサブシステムデータをデータ内容に応じてグループ分けを行いない，所定のグループデータを該当するグループＨＤＤにストアし，グループＨＤＤとグループを形成するターゲットＨＤＤにコピー・コンペアするデュプリケートシステム。
【背景技術】
【０００２】パソコン，カーナビなどの情報，映像，音響機器などに収納するデータ量は年々増大し，利用するストレージとしては，大容量のハードディスクドライブ（ＨＤＤ）が主流となり，現在ではギガビット（ＧＢ），テラビット（ＴＢ）が実用化されている。このため，パソコン，カーナビなどを出荷する場合は，内装するＨＤＤに必要とされるデータをコピー・コンペアする作業が必要であり，コピー・コンペア作業の高速化とともに，作業のロスタイム短縮，システムのコストダウンが強く求められている。
【発明の開示】
【発明が解決しようとする課題】
【０００３】パソコン，カーナビなどの情報，映像，音響機器などに収納するデータ量は年々増大し，利用するストレージとしては，大容量のハードディスクドライブ（ＨＤＤ）が主流となっており，パソコン，カーナビなどを出荷する場合は，内装するＨＤＤに必要とされるデータをコピー・コンペアする作業が必要であり，コピー・コンペア作業の高速化とともに，機種ごと，品種ごとにコピー・コンペアするデータも異なるため，生産工程において頻繁なデータの更新が必要となるため，データの一元管理が求められるとともに，設置場所を選ばず複数のシステムを離れた場所に配置してのセンター管理が求められる。このため，サーバーにデータをストアして，ＬＡＮにより転送するシステムが種々実用化されているが，ＬＡＮのデータ転送速度は遅く，多くのハードディスクドライブにコピー・コンペアする作業にとって大きなロスタイムを生じ，一日の出荷台数にも大きな影響を与えるため，ＨＤＤのコピー・コンペア作業の高速化とともに，ロスタイムの短縮，システムのコストダウンが大きな課題となっている。
【課題を解決するための手段】
【０００４】システムが扱うシステムデータはサーバーで一元管理し，システムデータに包含される個々のサブシステムが扱うサブシステムデータは，ＬＡＮのデータ転送速度の遅さを，システムにおけるロスタイムとしない目的で配置するサブシステムＨＤＤにＬＡＮ経由でストアし，得られたサブシステムデータをデータ内容に応じてグループ分けを行いない，所定のグループデータを該当するグループＨＤＤにストアし，グループＨＤＤとグループを形成するターゲットＨＤＤにコピー・コンペアする構成をとり，サーバーの休止時にサーバーのシステムデータを更新し，サーバーならびにサブシステムＨＤＤの休止時にサブシステムＨＤＤのサブシステムデータをサーバーからＬＡＮ経由で転送更新する。
【発明の効果】
【０００５】システムの全てのデータがサーバーで一元管理されるため，同一データを複数回，処理・更新するなどの無駄が防がれるとともに，複数のシステムを離れた場所に配置することも可能であり，設置場所を選ばず，センター管理が可能であるとともに，サーバーの休止時にサーバーのシステムデータを更新し，サーバーならびにサブシステムＨＤＤの休止時にサブシステムＨＤＤのサブシステムデータをサーバーからＬＡＮ経由で転送更新することにより，ＬＡＮのデータ転送速度はそれ程の高速を必要とせず，作業中のターゲットＨＤＤへのコピー・コンペア作業が終了すると，直ちにグループＨＤＤはサブシステムＨＤＤから次の作業のグループデータを入手することができるため，低コストで，かつシステムのロスタイムが大幅に短縮される。
【発明を実施するための最良の形態】
【０００６】図１は本発明によるデュプリケートシステムにおける２系統のサブシステム例を示す。１はサーバー，Ｓ１，Ｓ２は２系統のサブシステムＨＤＤを示す。Ｇ１１，Ｇ１２，Ｇ２１，Ｇ２２はグループＨＤＤで，それぞれのグループＨＤＤがターゲットＨＤＤと繋がって，Ｇ１１と（Ｔ１１１，Ｔ１１２），Ｇ１２と（Ｔ１２１，Ｔ１２２），Ｇ２１と（Ｔ２１１，Ｔ２１２），Ｇ２２と（Ｔ２２１，Ｔ２２２）でグループを構成している。それぞれのサブシステムが扱うデータはサーバーにより一元化管理され，それぞれのサブシステムに適応したサブシステムデータがＬＡＮによりサブシステムＨＤＤに転送され，それぞれのターゲットＨＤＤはグループＨＤＤが保有する所定のグループデータでコピー・コンペアされる。【０００７】図２は単一のサブシステム例を示す。２はサーバ〜ＰＣ，ＰＣ〜サブシステムＨＤＤを制御する第一のコントローラーを示し，ＰＣを採用した。５はサブシステムＨＤＤ〜グループＨＤＤ〜ターゲットＨＤＤを制御する第二のコントローラーを示す。３はサーバーからのデータ伝送路ＬＡＮ，４はＰＣとサブシステムＨＤＤ間のデータバスｅＳＡＴＡ，６はハードディスク間のデータバスＳＡＴＡを示し，データーの転送レートは，ＬＡＮは１００ＢａｓｅＴ：１００Ｍｂｐｓ，ｅＳＡＴＡ：３Ｇｂｐｓ，ＳＡＴＡ：２，４Ｇｂｐｓ程度であり，ＬＡＮのデータ転送速度がロスタイムを生ずる最大のネックとなる。この問題を解決するために，サーバーとグループＨＤＤとの間にサブシステムＨＤＤを配置して，サーバーの休止時にはサーバー自体のシステムデータを更新し，ターゲットＨＤＤがグループＨＤＤとコピー・コンベア作業中，かつサーバーが休止時にサーバーからサブシステムデータをＬＡＮ経由でサブシステムＨＤＤに転送更新することにより，ＬＡＮのデータ転送速度はそれ程の高速を必要とせず，ターゲットＨＤＤへのコピー・コンペア作業が終了すると，直ちにグループＨＤＤはサブシステムＨＤＤから次のコピー・コンペア作業のためのグループデータを入手することができるため，低コストで，かつシステムのロスタイムが大幅に短縮され，システム稼動中であってもデータ更新が可能となる。【０００８】図３は，グループを複数のグループＨＤＤで構成するシステムを示し，請求項２に示す個々のグループにＧ１１，Ｇ１１１，ならびにＧ１２，Ｇ１２１のグループＨＤＤを二個づつ配置し，ターゲットＨＤＤがグループＨＤＤとの間でコピー・コンペア作業中であっても，二個のうち休止している側のグループＨＤＤのグループデータをサブシステムＨＤＤにストアされている最新データに更新することにより，作業中のターゲットＨＤＤのコピー・コンペア作業が終了すると，直ちにデータ更新されたグループＨＤＤよりターゲットＨＤＤのコピー・コンペアが可能となり，ロスタイムが大幅に短縮される。【０００９】請求項３は専用のグループＨＤＤを配置せず，特定のターゲットＨＤＤをテンポラリー・グループＨＤＤとしてグループＨＤＤの代わりに使用するものであり，ターゲットＨＤＤへのコピー・コンペア作業が完了した時点では，テンポラリー・グループＨＤＤをターゲットＨＤＤとして出荷することが出来るため，システム構成コストは大幅に低減される。請求項４はサーバー，サブシステムＨＤＤ，グループＨＤ，ターゲットＨＤＤに関して，データの更新，転送タイミングを表示したり，更新，転送を可能とするなどにより，操作性を高めるとともに，誤操作を防止する効果がある。
【実施例】
【００１０】サーバーのストレージ容量は３．５インチ４００ＧＢ，ＬＡＮは１００Ｂａｓｅ−Ｔ，第一のコントローラーとしてはＰＣ，サブシステムＨＤＤは３．５インチ２５０ＧＢ，マスターＨＤＤは２．５インチ８０ＧＢ，第二のコントローラーとしてはディスクリート回路，高速バスとしてｅＳＡＴＡ，ならびにＳＡＴＡでシステムを構成した。また，サーバーからサブシステムＨＤＤのデータ転送においては，転送データの誤りを検出するＣＲＣやエラー訂正処理を適用した。また，サブシステムＨＤＤ〜グループＨＤＤ〜ターゲットＨＤＤ間のデータ転送においては，データバッファを介して１：ｎの一斉コピー・コンペア処理を適用して，処理時間を短縮した。また，ＬＡＮはより高速の１０００Ｂａｓｅ−Ｔ，高速バスとしてＳＡＳを採用することも可能であるが，１０００Ｂａｓｅ−Ｔの転送速度は１０００Ｍｂｐｓ程度であり，ハードディスク間の転送速度には達しないとともに，システム構成コストが高価になる。また，コントローラーとしては，ＰＣ，ディスクリートいずれにて構成しても良いとともに，サブシステムＨＤＤはＰＣに内装するハードディスクを利用しても良い。ストレージの容量に関しても，それぞれのシステムに最適なものを採用するなど，本発明の趣旨を逸脱しない範囲であれば種々の変形実施が可能である。
【産業上の利用可能性】
【００１１】パソコン，カーナビなどに情報，映像，音響データを搭載，接続するターゲットＨＤＤに，所定のデータをコピー・コンペアするシステムを，サーバー，サブシステムＨＤＤ，グループＨＤＤで形成し，システムが扱うシステムデータはサーバーで一元管理し，システムデータに包含される個々のサブシステムが扱うサブシステムデータは，ＬＡＮのデータ転送速度の遅さが，システムにおけるロスタイムとならない目的で配置するサブシステムＨＤＤにＬＡＮ経由でストアし，得られたサブシステムデータをデータ内容に応じてグループ分けを行ない，所定のグループデータを該当するグループＨＤＤにストアし，グループＨＤＤに繋がるターゲットＨＤＤにコピー・コンペアするデュプリケートシステム。
【図面の簡単な説明】
【００１２】
【図１】本発明のデュプリケートシステムの構成概念図
【図２】単一のサブシステムのシステム構成概念図
【図３】グループを複数のグループＨＤＤで構成するシステム構成概念図
【符号の説明】
１    サーバー
２    第一のコントローラー
３    ＬＡＮ
４    ｅＳＡＴＡ
５    第二のコントローラー
６    ＳＡＴＡ
７    ハブ
Ｓ    サブシステムＨＤＤ
Ｇ    グループＨＤＤ
Ｔ    ターゲットＨＤＤ
【図１】
2010086506.tif 000003
【図２】
2010086506.tif 000004
【図３】
2010086506.tif 000005